(57)【要約】【課題】外観意匠性を損なうことなく、日付を記載した部品の円滑な移動及び固定を両立させることができる万年カレンダーを提供する。【解決手段】第１週目から第６週目に亘って格子状に配置されており、日を表示する複数の日表示窓を有するベース板と、前記複数の日表示窓に対応した位置にそれぞれ配される少なくとも一つの日を含む複数の日数ユニットを有し、前記ベース板の後面部に対向し、前記ベース板に平行な方向に回転可能な日付板とを備える万年カレンダーにおいて、前記ベース板の後側に配置されており、前記日付板の回転を操作する操作盤と、前記ベース板の後側に配置されており、前記操作盤を止めるストッパとを備えることを特徴とする万年カレンダー。【選択図】図５
2018045080.tif 000002
【特許請求の範囲】
【請求項１】
第１週目から第６週目に亘って格子状に配置されており、日を表示する複数の日表示窓を有するベース板と、前記複数の日表示窓に対応した位置にそれぞれ配される少なくとも一つの日を含む複数の日数ユニットを有し、前記ベース板の後面部に対向し、前記ベース板に平行な方向に回転可能な日付板とを備える万年カレンダーにおいて、
前記ベース板の後側に配置されており、前記日付板の回転を操作する操作盤と、
前記ベース板の後側に配置されており、前記操作盤を止めるストッパと
を備えることを特徴とする万年カレンダー。
【請求項２】
前記ストッパは前記操作盤に係合する突部を有し、
前記操作盤は前記突部が係合するギヤ、係合孔又は係合凹部を有すること
を特徴とする請求項１に記載の万年カレンダー。
【請求項３】
前記操作盤は、前記ギヤの歯、係合孔又は係合凹部を少なくとも７個備えること
を特徴とする請求項２に記載の万年カレンダー。
【請求項４】
前記ギヤの歯、係合孔又は係合凹部の数が７の倍数であること
を特徴とする請求項３に記載の万年カレンダー。
【請求項５】
前記ストッパは、弾性を有し、前記突部を支持する弾性支持部を有すること
を特徴とする請求項２から４のいずれか一つに記載の万年カレンダー。
【発明の詳細な説明】
【技術分野】
【０００１】
本発明は、各年及び各月に応じて変更可能な万年カレンダーに関する。
【背景技術】
【０００２】
第１週目から第６週目に亘って格子状に配置された複数の日表示窓を有する前面板と、該前面板の後側においてスライド可能に配置されており、前記複数の日表示窓にそれぞれ対応した複数の日数字群を有するスライド板とを備える万年カレンダーが従来提案されている。スライド板を移動させることによって、日数字群に含まれる所望の日を日表示窓に表示させることができる（例えば特許文献１参照）。
【０００３】
前記万年カレンダーは、スライド板の正面にフックを設け、前面板に貫通孔を設けて、該貫通孔にフックを挿入し、スライド板を固定するか、又はスライド板を金属素材にし、前面板をマグネットシートにして、スライド板を固定する。
【先行技術文献】
【特許文献】
【０００４】
【特許文献１】特開２００４−１３１４１号公報
【発明の概要】
【発明が解決しようとする課題】
【０００５】
フックは前方に突出しているので、安全性の問題が生じるし、また外観意匠性が低下する。マグネットシートを使用した場合、磁力によって前面板に密着したスライド板を移動させるには、マグネットシートからスライド板を剥がす必要があり、また剥がしても磁力によって、スライド板は容易にマグネットシートに再度密着するので、スライド板を円滑に移動させることが難しい。
【０００６】
また、例えば壁に万年カレンダーを取り付けた場合、スライド板を移動させる都度、万年カレンダーの重心が移動するので、平衡をとれるように、万年カレンダーの位置を変更・調整する必要がある。また前記万年カレンダーには、ペン等の道具を載置するための構成がなく、利便性に欠ける。
【０００７】
本発明は斯かる事情に鑑みてなされたものであり、外観意匠性を損なうことなく、日付を記載した部品の円滑な移動及び固定を両立させることができる万年カレンダーを提供することを目的とする。
【課題を解決するための手段】
【０００８】
本発明に係る万年カレンダーは、第１週目から第６週目に亘って格子状に配置されており、日を表示する複数の日表示窓を有するベース板と、前記複数の日表示窓に対応した位置にそれぞれ配される少なくとも一つの日を含む複数の日数ユニットを有し、前記ベース板の後面部に対向し、前記ベース板に平行な方向に回転可能な日付板とを備える万年カレンダーにおいて、前記ベース板の後側に配置されており、前記日付板の回転を操作する操作盤と、前記ベース板の後側に配置されており、前記操作盤を止めるストッパとを備えることを特徴とする。
【０００９】
本発明においては、操作盤を操作することによって日付板は円滑に移動し、ストッパによって操作盤が固定され、日付板が固定される。また操作盤及びストッパはベース板の後側に配置されているので、外観意匠性を損なうことがない。
【００１０】
本発明に係る万年カレンダーは、前記ストッパは前記操作盤に係合する突部を有し、前記操作盤は前記突部が係合するギヤ、係合孔又は係合凹部を有することを特徴とする。
【００１１】
本発明においては、ストッパに突部を設け、操作盤はギヤ、係合孔又は係合凹部を有する。突部をギヤ、係合孔又は係合凹部に係合させて日付板の固定を実現する。
【００１２】
本発明に係る万年カレンダーは、前記操作盤は、前記ギヤの歯、係合孔又は係合凹部を少なくとも７個備えることを特徴とする。
【００１３】
本発明においては、操作盤がギヤの歯、係合孔又は係合凹部を少なくとも７個備える場合には、全ての曜日とギヤの歯、係合孔又は係合凹部とを一対一で対応させることができる。また８個以上備える場合には、操作盤の操作をより細かい単位で行うことができるので、万年カレンダーを構成する部品に製造誤差が生じていても、日付板の位置を微調整し、必要な箇所に曜日を表示させることができる。
【００１４】
本発明に係る万年カレンダーは、前記ギヤの歯、係合孔又は係合凹部の数が７の倍数であることを特徴とする。
【００１５】
本発明においては、ギヤの歯、係合孔又は係合凹部の数が７の倍数であるので、それぞれのギヤの歯、係合孔又は係合凹部を、いずれかの曜日に対応させることができる。例えばギヤの歯が２１個である場合、各曜日に三つの歯が対応する。月曜日に対応する三つの歯の内、二番目の歯を突部に係合させた場合に第１週目の月曜日に「１」が表示されるときには、製造誤差は操作盤全体に生じるので、他の曜日に対応する三つの歯の内、二番目の歯を突部に係合させることによって、その曜日に「１」が表される。換言すれば、一度、第１週目の所望の曜日に「１」を表示させた後は、操作盤の操作によって、ギヤの歯の位置を三回ずらすごとに、「１」を表示する曜日が変更される。そのため、ユーザは曜日の変更を容易に行うことができる。
【００１６】
本発明に係る万年カレンダーは、前記ストッパは、弾性を有し、前記突部を支持する弾性支持部を有することを特徴とする。
【００１７】
本発明においては、ストッパは弾性支持部を有し、該弾性支持部を撓ませることによって、突部と操作盤との係合を解除することができ、また係合を解除した後に、撓みによる弾性支持部の弾性復元力によって突部の操作盤への係合が速やかに実現される。
【発明の効果】
【００１８】
本発明に係る万年カレンダーにあっては、操作盤を操作することによって、日付板は円滑に移動し、ストッパによって操作盤は固定され、日付板が固定される。即ち、日付板の円滑な移動及び固定を両立させることができる。また操作盤及びストッパはベース板の後側に配置されているので、外観意匠性が損なわれない。
【図面の簡単な説明】
【００１９】
【図１】実施の形態１に万年カレンダーを略示する分解斜視図である。
【図２】万年カレンダーを略示する正面図である。
【図３】日付板を略示する正面図である。
【図４】日付板、月プレート、第１回転盤、第２回転盤、操作盤等の記載を省略した万年カレンダーの背面図である。
【図５】万年カレンダーの背面図である。
【図６】円板を略示する背面図である。
【図７】図６に示すＶＩＩ−ＶＩＩ線を切断線とした断面図である。
【図８】第１リベット及び第２リベットを略示する側面図である。
【図９】操作盤を略示する分解斜視図である。
【図１０】ストッパを略示する正面図である。
【図１１】ストッパを略示する平面図である。
【図１２】万年カレンダーの操作盤及びストッパ付近を略示する部分拡大背面図である。
【図１３】実施の形態２に係る万年カレンダーの操作盤及びストッパ付近を略示する部分拡大背面図である。
【図１４】実施の形態３に係る万年カレンダーの操作盤及びストッパ付近を略示する部分拡大背面図である。
【発明を実施するための形態】
【００２０】
（実施の形態１）
以下本発明を実施の形態１に係る万年カレンダーを示す図面に基づいて説明する。以下の説明では、図に示す上下左右前後を使用する。また左右方向は横方向に対応し、上下方向は縦方向に対応する。また正面は前面に対応し、背面は後面に対応する。図１は、万年カレンダーを略示する分解斜視図、図２は、万年カレンダーを略示する正面図である。図１において、第１連結部５１〜第４連結部５４、第１回転盤６１、第２回転盤６２、操作盤７０及び月プレート１１等の記載を省略している。
【００２１】
万年カレンダーは、透明な横長矩形のベース板１を備える。ベース板１の左下縁部分に横長等脚台形状の切欠１ａが形成されている。ベース板１の後面部には、例えば黒色で格子枠２が印刷されている。格子枠２の内側には、横方向及び縦方向に並設された複数の四角形の領域（以下セル２０という）が形成されている。複数のセル２０は第１行２１〜第６行２６を構成し、第１行２１〜第６行２６は、この順に上から下に並んでいる。なお第１行２１〜第６行２６は、それぞれ第１週目〜第６週目に対応する。
【００２２】
第１行２１〜第５行２５は横方向に並んだ７個のセル２０を備える。第６行２６は、横方向に並んだ２個のセル２０と、該セル２０の右隣に隣接しており、他のセル２０よりも大きな横長のセル２０（以下、大型セル２０ａという）とを備える。第１行２１を構成する各セル２０の上側において、１週間の各曜日を示す「日」、「月」、「火」、「水」、「木」、「金」、「土」がベース板１の後面部に左から右に並んで黒色で印刷されている。また格子枠２の右上には、暦上の月（１月〜１２月）を示す「月」が黒色で印刷されている。なお各曜日の並びは、「日」を左端に配置する場合に限定されない。例えば「月」を左端に配置してもよい。
【００２３】
ベース板１の後面部には、黒色で格子枠２、各曜日及び暦上の月を印刷した後、白色での印刷が重畳的に行われている。白色での印刷は、大型セル２０ａを除いた残余のセル２０（３７個のセル２０）それぞれの左上部分（以下、日表示窓２７という）と、暦上の月の左隣部分（以下月表示窓２８）とを除いた、ベース板１の後面部全体に行われている。
【００２４】
またベース板１の後面部には、白色で印刷した後、青色での印刷が重畳的に行われている。青色での印刷は、日表示窓２７と月表示窓２８とを除いたベース板１の後面部全体に行われている。すなわち、日表示窓２７及び月表示窓２８に対して印刷は行われていないので、日表示窓２７及び月表示窓２８は透明なままであり、ベース板１の後面に位置するものが日表示窓２７及び月表示窓２８を通して視認される。なお日表示窓２７は、第１行２１から第６行２６に亘って、換言すれば、第１週目から第６週目に亘って、格子状に配置されている。
【００２５】
一方、正面からベース板１を視認した場合、各セル２０及び格子枠２の外側は背景が白色であり、ホワイトボードとして使用することができる。なお青色での印刷行わなかった
場合、正面からベース板１を視認した場合に、ベース板１の後面側に存在するものが透けて視認されるが、本実施例では、白色での印刷後に、青色での印刷を行っているので、ベース板１の後面側に配置されたものが透けて視認されることを防止することができる。なお、上述した黒色、白色及び青色は、印刷に使用する色の一例であり、他の色を使用してもよい。
【００２６】
本実施例のように、白色の後ろに青色を印刷した場合、白色の後ろにグレー又は黒を印刷した場合に比べて、万年カレンダーが明るくなり、前側から視認した場合に、白色がより明確に認識でき、ホワイトボードとしての機能が効果的に発揮される。
【００２７】
図３は、日付板３を略示する正面図である。ベース板１の後側には、ベース板１に対向した横長矩形の日付板３が設けられている。日付板３の縦寸法及び横寸法はベース板１の縦寸法及び横寸法よりも短い。日付板３の前面には、複数の日数ユニット３ａが設けられており、複数の日数ユニット３ａは、大型セル２０ａを除いた残余のセル２０にそれぞれ対応している。日数ユニット３ａは、複数の日表示窓２７に対応した位置にそれぞれ配される少なくとも一つの日を含む。
【００２８】
例えば、第１行２１を構成する７個のセル２０に対応する７個の日数ユニット３ａは、それぞれ、左から順に「１」、「１、２」、「１、２、３」、・・・、「１、２、３、４、５、６、７」によって構成されている。すなわち、一の日数ユニット３ａの右隣に位置する他の日数ユニット３ａは、その数字が一の日数ユニット３ａよりも一つ増加する。なお日数ユニット３ａを構成する数字は「日」を示し、所定の半径を有する円弧又は円周上に順に配置される。
【００２９】
第２行２２を構成する７個のセル２０に対応する７個の日数ユニット３ａは、それぞれ、左から順に「２、３、４、５、６、７、８」、「３、４、５、６、７、８、９」、・・・、「８、９、１０、１１、１２、１３、１４」によって、構成されている。すなわち、一の日数ユニット３ａの右隣に位置する他の日数ユニット３ａを構成する複数の数字は、一の日数ユニット３ａに比べて、その最小値及び最大値が一つずつ増加する。
【００３０】
第３行２３〜第５行２５の左から三つ目のセル２０に対応する各日数ユニット３ａまでは、同じ行内において、第２行２２と同様である。また上下に隣接する二つの行において、上の行の右端に位置する日数ユニット３ａと、下の行の左端に位置する日数ユニット３ａとの間においても、同様に、最小値及び最大値が一つずつ増加する。
【００３１】
第５行２５の左から四つ目から第６行２６のセル２０に対応する各日数ユニット３ａは、「２６、２７、２８、２９、３０、３１」、「２７、２８、２９、３０、３１」、「２８、２９、３０、３１」、・・・、「３１」によって構成されている。すなわち、一の日数ユニット３ａの右隣に位置する他の日数ユニット３ａは、その最小値が一の日数ユニット３ａよりも一つ減少する。なお第５行２５の右端に位置する日数ユニット３ａと、第６行２６の左端に位置する日数ユニット３ａとの間においても、同様に、最小値が一つ減少する。
【００３２】
各日数ユニット３ａにおいて、日数ユニット３ａを構成するいずれかの数字が、前述した３７個の日表示窓２７のうち、３１個の日表示窓２７の後側に配置され、３１個の日表示窓２７を通して、１〜３１の数字が昇順に表示される。
【００３３】
ベース板１の上縁部、左縁部、右縁部及び下縁部には、上レール４、左レール５、右レール６及び下レール７がそれぞれ設けられている。図２に示すように、上レール４、左レール５、右レール６及び下レール７は、第１連結部５１〜第４連結部５４によって連結されている。第４連結部５４は、前側に展開可能な第５４ｆを備える。図１及び図２に示すように、下レール７の左下縁部には横長等脚台形状の切欠７ａが形成されている。切欠７ａの左右位置は、前記ベース板１の切欠１ａの左右位置に対応している。
【００３４】
日付板３及びベース板１の右上部の間には、軸回りに回転可能な円形の月プレート１１が設けられている。月プレート１１は月表示窓２８の後側に位置する。月プレート１１の正面には数字の「１」〜「１２」が周方向に並んで表示されている。右レール６の右上部分に左右に貫通した貫通孔６ｅが設けられている。貫通孔６ｅからは、月プレート１１の一部が突出している。ユーザは、月プレート１１の貫通孔６ｅから突出した部分を操作して、月プレート１１を回転させ、月表示窓２８に所望の月を表示させることができる。
【００３５】
上レール４の左右方向中央部には、フック部４１が設けられている。フック部４１は横長の長孔４１ａを備える。長孔４１ａの上縁部には鋸刃部４１ｂが設けられている。
【００３６】
図４は、日付板３、月プレート１１、第１回転盤６１、第２回転盤６２、操作盤７０等の記載を省略した万年カレンダーの背面図、図５は、万年カレンダーの背面図である。
【００３７】
右レール６の後部６ｂの上下方向中央部分に右押さえ８が設けられている。右押さえ８は、右レール６から左方向に突出している。左レール５の後部５ｂの上下方向中央部分に左押さえ９が設けられている。左押さえ９は、左レール５から右方向に突出している。左押さえ９の上下寸法は、右押さえ８よりも長い。図５に示すように、右押さえ８及び左押さえ９は、日付板３の後側に位置し、日付板３を保持する。右押さえ８及び左押さえ９は保持部に対応する。
【００３８】
フック部４１の右側及び左側それぞれにおいて、第２フック部４２が上レール４に形成されている。第２フック部４２は折り曲げ可能に構成されており、上側に折り曲げることによって、上レール４の上側に突出する。
【００３９】
図５に示すように、日付板３及びベース板１の間には、第１回転盤６１、第２回転盤６２及び操作盤７０が設けられている。第１回転盤６１及び第２回転盤６２は、日付板３の右上部及び左上部にそれぞれ配置されている。操作盤７０は、日付板３の左下部に配置されている。
【００４０】
図６は、円板６０を略示する背面図、図７は、図６に示すＶＩＩ−ＶＩＩ線を切断線とした断面図、図８は、第１リベット１６１及び第２リベット１６２を略示する側面図である。
【００４１】
第１回転盤６１は、円板６０と、第１リベット１６１と、第２リベット１６２とを備える。円板６０は、その中心を回転中心として回転する。円板６０の中心及び円板６０の周縁部には、第１リベット１６１及び第２リベット１６２が嵌合する第１嵌合孔６０ａ及び第２嵌合孔６０ｂがそれぞれ設けられている。
【００４２】
第２回転盤６２は、円板６０と、第１リベット１６１と、第２リベット１６２とを備える。円板６０は、その中心を回転中心として回転する。円板６０の中心及び円板６０の周縁部には、第１リベット１６１及び第２リベット１６２が嵌合する第１嵌合孔６０ａ及び第２嵌合孔６０ｂがそれぞれ設けられている。
【００４３】
図２に示すように、第１リベット１６１がべース板１を前側から貫通している。第１リベット１６１は、円板６０の第１嵌合孔６０ａに回転可能に嵌合している。円板６０は、第１リベット１６１の軸回りに回転することができる。第１リベット１６１の頭部と円板６０との間にベース板１は挟まれている。
【００４４】
図５に示すように、第２リベット１６２が日付板３を後側から貫通している。第２リベット１６２は、円板６０の第２嵌合孔６０ｂに回転可能に嵌合している。第２リベット１６２の頭部と円板６０との間に日付板３は挟まれている。
【００４５】
図９は、操作盤７０を略示する分解斜視図、図１０は、ストッパ８０を略示する正面図、図１１は、ストッパ８０を略示する平面図、図１２は、万年カレンダーの操作盤７０及びストッパ８０付近を略示する部分拡大背面図である。
【００４６】
図９に示すように、操作盤７０は、操作ギヤ７１と、リングギヤ７２とを備える。操作ギヤ７１は、前後方向を軸方向とした円板状をなし、その外周縁部に波形状の歯が形成されている。操作ギヤ７１の中心には、前後に貫通しており、第１リベット１６１が嵌合する第１嵌合孔７１ａが設けられている。第１嵌合孔７１ａから径方向に所定距離離れた位置に、前後に貫通しており、第２リベット１６２が嵌合する第２嵌合孔７１ｂが設けられている。操作ギヤ７１は、その下端部が、左右方向において切欠７ａの内側に配置されるように、下レール７の後側に配置される。前述したように、切欠７ａの位置と切欠１ａの位置とは対応しているので、万年カレンダーを前から見た場合に、操作ギヤ７１の下端部は前側から視認される。
【００４７】
操作ギヤ７１の後面に、操作ギヤ７１に対して同軸的にリングギヤ７２が設けられている。リングギヤ７２の外周縁部に歯が形成されている。リングギヤ７２の歯の数は適宜決定され、例えば７〜１００個であり、７の倍数であることが好ましい。第１嵌合孔７１ａ及び第２嵌合孔７１ｂは、リングギヤ７２の内周縁よりも径方向内側に配置されている。
【００４８】
図１２に示すように、操作ギヤ７１は、前後方向において、ベース板１と日付板３との間に配置されている。図２に示すように、第１リベット１６１がべース板１を前側から貫通している。第１リベット１６１は、操作ギヤ７１の第１嵌合孔７１ａに回転可能に嵌合している。操作ギヤ７１は、第１リベット１６１の軸回りに回転することができる。リングギヤ７２は、操作ギヤ７１と共に第１リベット１６１の軸回りに回転する。第１リベット１６１の頭部と操作ギヤ７１との間にベース板１は挟まれている。
【００４９】
図５に示すように、第２リベット１６２が日付板３を後側から貫通している。第２リベット１６２は、操作ギヤ７１の第２嵌合孔７１ｂに回転可能に嵌合している。第２リベット１６２の頭部と操作ギヤ７１との間に日付板３は挟まれている。
【００５０】
図５、図１２に示すように、ストッパ８０が操作ギヤ７１の下端部の後側に配置されている。図１０及び図１１に示すように、ストッパ８０は、正面視において左右に延びた矩形板状の本体８１を備える。本体８１の下縁部の左右方向中央部分には台形状の窪み８７が形成されている。
【００５１】
図１０に示すように、本体８１の正面中央部には、正面視において、逆台形状をなす第１凹部８２が形成されている。第１凹部８２の左右には、傾斜面８３がそれぞれ形成されている。第１凹部８２の左右方向中央部には、正面視において、左右に延びた矩形状をなす第２凹部８４が更に形成されている。そのため、本体８１の第２凹部８４に対応する部分の前後方向の厚みは、本体８１において最も薄い。
【００５２】
本体８１の第１凹部８２に対応する部分は、本体８１の端部に比べて薄いので撓み易く、本体８１の第２凹部８４に対応する部分は最も薄く、加えてスリット８５が形成されているので、更に撓み易い。換言すれば、本体８１の第１凹部８２に対応する部分は弾性力を有し、突部８６を支持する弾性支持部８８を構成する。
【００５３】
第２凹部８４の底面には、左右に延びた二つのスリット８５、８５が上下に並設されている。二つのスリット８５、８５の間には、後方に突出した突部８６が設けられている。ストッパ８０は、操作ギヤ７１の下端部が窪み８７から下方に突出し、突部８６がリングギヤ７２に噛合するように、操作盤７０を後側から覆っている。本体８１の左右両端部は下レール７に固定されている。ユーザは、窪み８７から突出した操作ギヤ７１の下端部（より詳細には操作ギヤ７１の歯）を操作し、操作盤７０を回転させることができる。
【００５４】
操作盤７０の下部は第１凹部８２の内側に配置されている。操作ギヤ７１が回転した場合に、操作ギヤ７１は第１凹部８２の内側を移動し、ストッパ８０に干渉しない。リングギヤ７２が回転した場合、リングギヤ７２の歯は突部８６を押し、弾性支持部７２は後側に撓み、突部８６はリングギヤ７２の歯を乗り越える。換言すれば、突部８６と操作盤７０との係合が解除される。
【００５５】
リングギヤ７２が更に回転した場合、突部８６は乗り越えた歯と、その隣の歯との間に配置される。このとき、弾性支持部７２には撓みによる弾性復元力が生じており、この弾性復元力によって突部８６は前側に付勢されるので、突部８６はリングギヤ７２に速やかに噛合する、即ち突部８６と操作盤７０との係合が速やかに実行される。
【００５６】
万年カレンダーを壁等に掛けた場合、日付板３の重量が操作盤７０に作用するが、突部８６はリングギヤ７２に噛合しているので、日付板３の自重による操作盤７０の不要な回転は防止される。
【００５７】
第１回転盤６１、第２回転盤６２及び操作盤７０によって、日付板３は回転可能に三点支持されている。操作ギヤ７１を操作することによって、第１回転盤６１、第２回転盤６２及び操作盤７０が第１リベット１６１の軸回りに回転し、第２リベット１６２は第１リベット１６１の軸回りに回転し、日付板３が回転する。
【００５８】
ユーザは、前方から視認しながら、操作盤７０を操作し、日付板３を回転させて、第１週目の所望の曜日に「１」を表示させることができる。
【００５９】
実施の形態１に係る万年カレンダーにあっては、ユーザが操作盤７０を操作することによって、日付板３は円滑に移動し、ストッパ８０によって操作盤７０は固定され、日付板３が固定される。即ち、日付板３の円滑な移動及び固定を両立させることができる。また操作盤７０及びストッパ８０はベース板１の後側に配置されているので、外観意匠性が損なわれない。
【００６０】
またストッパ８０に突部８６を設け、該突部８６を操作盤７０に係合させることによって、日付板３の固定を実現することができる。また操作盤７０はリングギヤ７２を有し、リングギヤ７２に突部８６を係合させて、日付板３の固定を実現する。
【００６１】
また操作盤７０はリングギヤ７２の歯を７個以上備えている。リングギヤ７２の歯を７個備える場合には、全ての曜日とギヤの歯とを一対一で対応させ、突部８６をリングギヤ７２に噛合させて、第１週目の所望の曜日に「１」を表示させることができる。また８個以上備える場合には、操作盤７０の操作をより細かい単位で行うことができるので、万年カレンダーを構成する部品に製造誤差が生じていても、日付板３の位置を微調整し、第１週目の所望の曜日に「１」を表示させることができる。
【００６２】
またリングギヤ７２の歯の数が７の倍数である場合には、それぞれのリングギヤ７２の歯をいずれかの曜日に対応させることができる。例えばリングギヤ７２の歯が２１個である場合、各曜日に三つの歯が対応する。月曜日に対応する三つの歯の内、二番目の歯を突部８６に係合させた場合に第１週目の月曜日に「１」が表示されるときには、製造誤差は操作盤全体に生じるので、他の曜日に対応する三つの歯の内、二番目の歯を突部８６に係合させることによって、その曜日に「１」が表される。換言すれば、一度、第１週目の所望の曜日に「１」を表示させた後は、操作盤７０の操作によって、ギヤの歯の位置を三回ずらすごとに、「１」を表示する曜日が変更される。そのため、ユーザは曜日の変更を容易に行うことができる。
【００６３】
またストッパ８０は弾性支持部８８を有し、該弾性支持部８８を撓ませることによって、突部８６と操作盤７０との係合を解除することができ、また係合を解除した後に、撓みによる弾性支持部８８の弾性復元力によって突部８６の操作盤７０への係合が速やかに実現される。
【００６４】
（実施の形態２）
以下本発明を実施の形態２に係る万年カレンダーを示す図面に基づいて説明する。図１３は、実施の形態２に係る万年カレンダーの操作盤７０及びストッパ８０付近を略示する部分拡大背面図である。
【００６５】
実施の形態２においては、実施の形態１と異なり、操作盤７０はリングギヤ７２を備えていない。また突部８６は弾性支持部８８に支持され、操作ギヤ７１の歯に係合する位置に配されている。操作ギヤ７１の歯の数は適宜決定され、例えば７〜１００個であり、７の倍数であることが好ましい
【００６６】
操作ギヤ７１に突部８６が係合することによって、日付板３は固定され、日付板３の自重による操作盤７０の不要な回転は防止される。
【００６７】
また操作盤７０は操作ギヤ７１の歯を７個以上備えているので、７個備える場合には、全ての曜日とギヤの歯とを一対一で対応させ、第１週目の所望の曜日に「１」を表示させることができる。また８個以上備える場合には、操作盤７０の操作をより細かい単位で行い、日付板３の位置を微調整し、第１週目の所望の曜日に「１」を表示させることができる。
【００６８】
また操作ギヤ７１の歯の数が７の倍数である場合には、それぞれの操作ギヤ７１の歯をいずれかの曜日に対応させることができる。例えば操作ギヤ７１の歯が２１個である場合、各曜日に三つの歯が対応する。月曜日に対応する三つの歯の内、二番目の歯を突部８６に係合させた場合に第１週目の月曜日に「１」が表示されるときには、製造誤差は操作盤全体に生じるので、他の曜日に対応する三つの歯の内、二番目の歯を突部８６に係合させることによって、その曜日に「１」が表される。換言すれば、一度、第１週目の所望の曜日に「１」を表示させた後は、操作盤７０の操作によって、ギヤの歯の位置を三回ずらすごとに、「１」を表示する曜日が変更される。そのため、ユーザは曜日の変更を容易に行うことができる。
【００６９】
実施の形態２に係る万年カレンダー構成の内、実施の形態１と同様な構成については、同じ符号を付し、その詳細な説明を省略する。
【００７０】
（実施の形態３）
以下本発明を実施の形態３に係る万年カレンダーを示す図面に基づいて説明する。図１４は、実施の形態３に係る万年カレンダーの操作盤７０及びストッパ８０付近を略示する部分拡大背面図である。
【００７１】
実施の形態２においては、実施の形態１と異なり、操作盤７０はリングギヤ７２を備えていない。また操作ギヤ７１には、前後に貫通した複数の係合孔又は係合凹部７１ａ、７１ａ、・・・、７１ａが、操作ギヤ７１の中心を中心とした円周上に並設されている。突部８６は弾性支持部８８に支持され、係合孔又は係合凹部７１ａに係合する位置に配されている。
【００７２】
操作ギヤ７１の係合孔又は係合凹部７１ａに突部８６が挿入され、係合することによって、日付板３は固定され、日付板３の自重による操作盤７０の不要な回転は防止される。
【００７３】
係合孔又は係合凹部７１ａの数は適宜決定され、例えば７〜１００個であり、７の倍数であることが好ましい。操作盤７０は係合孔又は係合凹部７１ａを７個以上備えているので、７個備える場合には、全ての曜日とギヤの歯とを一対一で対応させて、第１週目の所望の曜日に「１」を表示させることができる。また８個以上備える場合には、操作盤７０の操作をより細かい単位で行い、日付板３の位置を微調整し、第１週目の所望の曜日に「１」を表示させることができる。
【００７４】
また係合孔又は係合凹部７１ａの歯の数が７の倍数である場合には、それぞれの係合孔又は係合凹部７１ａの歯をいずれかの曜日に対応させることができる。例えば係合孔又は係合凹部７１ａの歯が２１個である場合、各曜日に三つの歯が対応する。月曜日に対応する三つの歯の内、二番目の歯を突部８６に係合させた場合に第１週目の月曜日に「１」が表示されるときには、製造誤差は操作盤全体に生じるので、他の曜日に対応する三つの歯の内、二番目の歯を突部８６に係合させることによって、その曜日に「１」が表される。換言すれば、一度、第１週目の所望の曜日に「１」を表示させた後は、操作盤７０の操作によって、ギヤの歯の位置を三回ずらすごとに、「１」を表示する曜日が変更される。そのため、ユーザは曜日の変更を容易に行うことができる。
【００７５】
実施の形態３に係る万年カレンダー構成の内、実施の形態１又は２と同様な構成については、同じ符号を付し、その詳細な説明を省略する。
【００７６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００７７】
１  ベース板
３  日付板
２７  日表示窓
７０  操作盤
７１  操作ギヤ
７１ａ  係合孔又は係合凹部
７２  リングギヤ
８０  ストッパ
８６  突部
８８  弾性支持部
【図１】
2018045080.tif 000003
【図２】
2018045080.tif 000004
【図３】
2018045080.tif 000005
【図４】
2018045080.tif 000006
【図５】
2018045080.tif 000007
【図６】
2018045080.tif 000008
【図７】
2018045080.tif 000009
【図８】
2018045080.tif 000010
【図９】
2018045080.tif 000011
【図１０】
2018045080.tif 000012
【図１１】
2018045080.tif 000013
【図１２】
2018045080.tif 000014
【図１３】
2018045080.tif 000015
【図１４】
2018045080.tif 000016